(57)【要約】【課題】データへのアクセスの利便性を高める。【解決手段】無線ネットワークを介して情報処理装置に記憶された該情報処理装置を識別する識別情報を取得する識別情報取得手段と、情報処理装置を所持するユーザを撮像する撮像手段と、撮像手段により撮像されたユーザを含む撮影画像と識別情報取得手段により取得された該ユーザが所持する情報処理装置を識別する識別情報とを対応付けて情報処理装置の撮影画像へのアクセスを許可するための該情報処理装置を特定する特定情報として記憶する記憶手段とを備える。【選択図】図２
2016174271.tif 000002
【特許請求の範囲】
【請求項１】
無線ネットワークを介して情報処理装置に記憶された該情報処理装置を識別する識別情報を取得する識別情報取得手段と、
前記情報処理装置を所持するユーザを撮像する撮像手段と、
前記撮像手段により撮像された前記ユーザを含む撮影画像と前記識別情報取得手段により取得された該ユーザが所持する前記情報処理装置を識別する識別情報とを対応付けて前記情報処理装置の前記撮影画像へのアクセスを許可するための該情報処理装置を特定する特定情報として記憶する記憶手段と
を備えることを特徴とする画像処理装置。
【請求項２】
前記情報処理装置が無線ネットワークを介して画像処理装置にアクセスするためのアクセス情報を出力するアクセス情報出力手段と、
前記アクセス情報出力手段により出力されたアクセス情報を用いてアクセスする前記情報処理装置から該情報処理装置を識別する識別情報を取得して記憶する識別情報記憶手段と
を備えることを特徴とする請求項１記載の画像処理装置。
【請求項３】
前記アクセス情報出力手段は、前記アクセス情報を含む２次元コードを表示手段に表示することを特徴とする請求項２記載の画像処理装置。
【請求項４】
前記無線ネットワークは画像処理装置から送信される指向性のある電波を前記情報処理装置が受信することで確立されることを特徴とする請求項１から３の何れか１項に記載の画像処理装置。
【請求項５】
情報処理装置と画像形成装置とが無線ネットワークを介して接続された画像処理システムであって、
前記情報処理装置に記憶された該情報処理装置を識別する識別情報を取得する識別情報取得手段と、
前記情報処理装置を所持するユーザを撮像する撮像手段と、
前記撮像手段により撮像された前記ユーザを含む撮影画像と前記識別情報取得手段により取得された該ユーザが所持する前記情報処理装置を識別する識別情報とを対応付けて前記情報処理装置の前記撮影画像へのアクセスを許可するための該情報処理装置を特定する特定情報として記憶する記憶手段と
を備えることを特徴とする画像処理システム。
【請求項６】
前記情報処理装置が無線ネットワークを介して画像処理装置にアクセスするためのアクセス情報を出力するアクセス情報出力手段と、
前記アクセス情報出力手段により出力されたアクセス情報を用いてアクセスする前記情報処理装置から該情報処理装置を識別する識別情報を取得して記憶する識別情報記憶手段と
を備えることを特徴とする請求項５記載の画像処理システム。
【請求項７】
無線ネットワークを介して情報処理装置に記憶された該情報処理装置を識別する識別情報を取得して記憶部に記憶する処理と、
前記情報処理装置を所持するユーザを撮像手段により撮像した撮影画像を前記記憶部に記憶する処理と、
前記記憶部に記憶された前記ユーザを含む撮影画像と該ユーザが所持する前記情報処理装置を識別する識別情報とを対応付けて前記情報処理装置の前記撮影画像へのアクセスを許可するための該情報処理装置を特定する特定情報として前記記憶部に記憶する処理と
をコンピュータに実行させることを特徴とするプログラム。
【請求項８】
前記情報処理装置が無線ネットワークを介して画像処理装置にアクセスするためのアクセス情報を出力する処理と、
前記画像処理装置から出力された前記アクセス情報を用いてアクセスする前記情報処理装置から該情報処理装置を識別する識別情報を取得して前記記憶部に記憶する処理と
をコンピュータに実行させることを特徴とする請求項７記載のプログラム。
【発明の詳細な説明】
【技術分野】
【０００１】
本発明は、画像処理装置、画像処理システム、及び、プログラムに関する。
【背景技術】
【０００２】
従来から、電子写真方式の画像形成装置や撮影機器で作成された画像データに、画像を表示、格納することができる情報処理端末からアクセスする技術が既に知られている。
【０００３】
上記の技術に関し、例えば特許文献１には、簡易に無線通信装置と携帯型無線通信装置とで構築された通信システムにおいて、認証コードを自動生成し、認証コードに対するアクセス権を関連付けて記憶させる技術が開示されている。
【０００４】
特許文献１では、既にペアリング済みの第２の無線通信装置について、新たな認証コードの送信と新たなアクセス権の設定とを行ってペアリングをし直すか、又は設定したアクセス権が失効するまで同一の認証コードで無線通信を行うかの何れかを、当該第２の無線通信装置から送信された選択結果に基づいて決定している。
【発明の概要】
【発明が解決しようとする課題】
【０００５】
例えば特許文献１に開示された従来技術によれば、セキュリティ強度の高い無線通信システムを提供することができる。しかし、特許文献１のような従来技術の画像形成装置における画像データ等のデータへのアクセスは、そのデータを送受信する端末同士が１対１の関係であるため、画像単位毎に、その都度アクセス権を設定しなければならないという問題がある。
【０００６】
本発明はこのような実情に鑑みてなされたものであって、データへのアクセスの利便性を高めることを目的とする。
【課題を解決するための手段】
【０００７】
上述の課題を解決するために、本発明の画像処理装置は、無線ネットワークを介して情報処理装置に記憶された該情報処理装置を識別する識別情報を取得する識別情報取得手段と、情報処理装置を所持するユーザを撮像する撮像手段と、撮像手段により撮像されたユーザを含む撮影画像と識別情報取得手段により取得された該ユーザが所持する情報処理装置を識別する識別情報とを対応付けて情報処理装置の撮影画像へのアクセスを許可するための該情報処理装置を特定する特定情報として記憶する記憶手段とを備えることを特徴とする。
【発明の効果】
【０００８】
本発明によれば、データへのアクセスの利便性を高めることが可能となる。
【図面の簡単な説明】
【０００９】
【図１】本発明の実施形態における画像処理システムの概略構成を示す機能ブロック図である。
【図２】本発明の実施形態における画像処理について説明するための模式図である。
【図３】本発明の実施形態における画像処理について説明するための模式図である。
【図４】従来の問題点について説明するための模式図である。
【発明を実施するための形態】
【００１０】
本発明の実施形態の画像処理システムに関し以下図面を用いて説明するが、本発明の趣旨を越えない限り、何ら本実施形態に限定されるものではない。なお、各図中、同一又は相当する部分には同一の符号を付しており、その重複説明は適宜に簡略化ないし省略する。
【００１１】
また、以下の説明では画像処理装置を撮像装置としてのデジタルカメラを例として説明するがこれに限定されず、例えば復号機等の画像形成装置であっても、例えばプロジェクター等の画像出力装置であってもよい。
【００１２】
さらに、情報処理装置としてスマートフォンを例に説明するがこれに限定されず、タブレットＰＣ、ノートＰＣ、携帯電話、ＰＤＡ等であってもよい。
【００１３】
本実施形態における画像処理システムを説明するにあたり、まず従来の画像処理システムの問題点について図４を参照して説明する。本図では、デジタルカメラ１００から無線通信を介してスマートフォン２００が画像データ等を取得する方法、ＳＤカード等の外部記憶媒体５０に記憶された画像データを取得する方法、及びインターネット等のネットワークに接続されたデータ記憶サーバからダウンロードにより画像データを取得する方法が示されている。
【００１４】
従来では、上記の各方法によりデジタルカメラ１００が取得する画像データはその画像データへのアクセス権が付与されていないため、デジタルカメラ１００又は画像データを記憶するデータ記憶サーバ等と通信が可能でありさえすれば、これらとの通信を介してスマートフォン２００を所持する誰もが上記の画像データを取得することができてしまう。本実施形態における画像処理システムは、上述の問題点を解決するために以下の構成を採用する。
【００１５】
本実施形態における画像処理システムの概略構成について図１を参照して説明する。本実施形態における画像処理システムは、画像処理装置１０と情報処理装置２０とが無線ネットワーク３０を介して接続されている。
【００１６】
画像処理装置１０は、識別情報取得手段１１と、撮像手段１２と、記憶手段１３と、アクセス情報出力手段１４と、識別情報記憶手段１５と、表示手段１６と、通信手段１７を備えている。
【００１７】
情報処理装置２０は、識別情報記憶手段２１と、撮像手段２２と、表示手段２３と、通信手段２４を備えている。
【００１８】
識別情報取得手段１１は、無線ネットワークを介して情報処理装置２０に記憶された該情報処理装置を識別する識別情報を取得することができる。このとき両装置でやり取りされる識別情報の送受信を行うための上記無線ネットワークは、指向性のある電波を情報処理装置２０が受信することにより確立される。指向性のある電波を送受信する通信には例えば赤外線等を利用することが好ましい。これにより、画像処理装置１０に略正対する情報処理装置２０の識別情報を取得することができる。
【００１９】
撮像手段１２は、情報処理装置２０を所持するユーザを撮像する。撮像手段１２は、例えばレンズ、ＣＣＤやＣＭＯＳ等の撮像素子、Ａ／Ｄ変換回路等により構成される。
【００２０】
記憶手段１３は、撮像手段１２により撮像されたユーザを含む撮影画像と識別情報取得手段１１により取得された該ユーザが所持する情報処理装置２０を識別する識別情報とを対応付けて情報処理装置２０の撮影画像へのアクセスを許可するための情報処理装置２０を特定する特定情報として記憶する。
【００２１】
アクセス情報出力手段１４は、情報処理装置２０が無線ネットワークを介して画像処理装置１０にアクセスするためのアクセス情報を出力する。アクセス情報出力手段１４は、アクセス情報を含むバーコードやＱＲコード（登録商標）等の２次元コードを表示手段１６に表示することでアクセス情報の出力をすることが好ましい。
【００２２】
識別情報記憶手段１５は、アクセス情報出力手段１４により出力されたアクセス情報を用いてアクセスする情報処理装置２０から該装置を識別する識別情報を取得して記憶する。画像処理装置１０は、識別情報記憶手段１５に記憶された識別情報に基づいて撮像手段１２による撮影時に情報処理装置２０を特定する。撮影時に情報処理装置２０を特定することによりアクセス権を適切に設定することができる。
【００２３】
表示手段１６は、撮像手段１２により撮影した画像や、画像処理装置１０の各種設定を行うための設定画面等を表示する、例えば液晶ディスプレイ等である。
【００２４】
通信手段１７は、上述した赤外線等による通信を実現するための通信インタフェースであり、この場合は赤外線発光素子及び受光素子並びに赤外線にのせられたデータを装置が読取可能なデータに変換する変換回路等を備えることになる。
【００２５】
識別情報記憶手段２１は、情報処理装置２０を識別する識別情報として例えば情報処理装置２０固有のＩＤ番号等を記憶する。
【００２６】
撮像手段２２は、画像処理装置１０の表示手段１６に表示された２次元バーコードを撮影する。情報処理装置２０は、撮影された２次元バーコードからアクセス情報としてのアクセスキーを読み取り、このアクセスキーを用いることで画像処理装置１０とのアクセスが認可される。
【００２７】
表示手段２３は、撮像手段２２により２次元バーコードを撮影する際、撮影される２次元バーコードの撮影画像を表示する。情報処理装置２０のユーザはこれにより２次元バーコードを確実に撮影することができる。
【００２８】
通信手段２４は、通信手段１７を介して画像処理装置１０との赤外線等による通信を実現する通信インタフェースであり、この場合は赤外線発光素子及び受光素子並びに赤外線にのせられたデータを装置が読取可能なデータに変換する変換回路等を備えることになる。
【００２９】
次に、本実施形態における画像処理システムによる処理概要について図２を参照して説明する。図２（ａ）では、情報処理装置２０を使用するユーザが３人いるものとして説明する。もちろん３人に限定されるものではなく、２人であっても、４人以上であってもよい。またここでは、３人のユーザをそれぞれユーザＡ、ユーザＢ、ユーザＣとし、各ユーザが所持する情報処理装置２０をそれぞれ情報処理装置２０ａ、２０ｂ、２０ｃ（これらをまとめて言うときは「情報処理装置２０」という。）とする。
【００３０】
そして、通信手段１７及び２４により装置間で送受信されたアクセスキーに基づいた画像処理装置１０と情報処理装置２０ａ及び２０ｂとの通信が確立されているものとする。これは、情報処理装置２０ａ及び２０ｂは画像処理装置１０と略正対する位置であり、つまりユーザＡ及びユーザＢが撮像手段２２のレンズ画角内にいることによるものである（図２（ｂ）参照）。
【００３１】
情報処理装置２０ｃについては画像処理装置１０と略正対していない、画像処理装置１０から離れた位置にいるため、つまりユーザＣが撮像手段２２のレンズ画角から外れているため、画像処理装置１０との通信が確立されず、従って情報処理装置１０ｃは撮影時に特定されないこととなる。
【００３２】
そして、画像処理装置１０の記憶手段１３は、撮像手段２２により撮影したユーザＡ及びユーザＢの画像データＰと情報処理装置２０ａ及び２０ｂそれぞれの識別情報を対応付けて、情報処理装置２０ａ及び２０ｂの画像データＰへのアクセスを許可するための各装置を特定する特定情報として記憶する。これにより、その後、情報処理装置２０ａ及び２０ｂが画像データＰにアクセスする際、画像処理装置１０は上記特定情報を参照して情報処理装置２０ａ及び２０ｂの上記画像データへのアクセスを許可することができる。
【００３３】
他方、情報処理装置２０ｃについては撮影時に特定されていないため、画像処理装置１０の記憶手段１３に記憶された画像データへアクセスすることができない。なお、本実施形態においては、ＳＤカード等の外部記憶媒体１８に画像データＰが記憶される例を用いて説明するが、画像データＰは所定のネットワークを介して画像処理装置１０と接続されたデータサーバ等の情報処理装置に記憶されているものとしてもよい。また、画像処理装置１０内の記憶部に記憶された画像データに情報処理装置２０が直接アクセスを行う構成であってもよい。
【００３４】
次に、画像処理装置１０に情報処理装置２０の識別情報を記憶する処理の概要について図３を参照して説明する。
【００３５】
まず、図３（ａ）に示すように画像処理装置１０は表示手段１６に２次元バーコードとしてのＱＲコード（登録商標）を表示し、これを情報処理装置２０の撮像手段２２により撮影することにより、情報処理装置２０は撮影した２次元バーコードに含まれるアクセス情報を用いて画像処理装置１０との通信を行う。
【００３６】
画像処理装置１０の識別情報取得手段１１は、画像処理装置１０と上記アクセス情報を用いた通信を介して情報処理装置２０の識別情報を取得して記憶手段１３に記憶する。この識別情報を用いることにより、図２を用いて説明したように、画像処理装置１０は撮影時に情報処理装置２０を特定することができ、撮影時の適切なアクセス権を設定することができる。
【００３７】
なお、上述する各実施の形態は、本発明の好適な実施の形態であり、本発明の要旨を逸脱しない範囲内において種々変更実施が可能である。例えば、上述した本実施形態の画像処理装置における各処理を、ハードウェア、又は、ソフトウェア、あるいは、両者の複合構成を用いて実行することも可能である。
【００３８】
なお、ソフトウェアを用いて処理を実行する場合には、処理シーケンスを記録したプログラムを、専用のハードウェアに組み込まれているコンピュータ内のメモリにインストールして実行させることが可能である。あるいは、各種処理が実行可能な汎用コンピュータにプログラムをインストールして実行させることが可能である。
【００３９】
また、上述した本実施形態における画像処理装置１０とは別の画像処理装置に情報処理装置２０を接続して、プレビュー画像やサムネイル画像を表示することとしてもよい。別の画像処理装置との接続時には、プレビュー画像データやサムネイル画像データは、これらのデータ元となる元画像データと紐付けられている。よって、別の画像処理装置におけるプレビュー画像データやサムネイル画像データと同一のファイル名であってもデータの混同を回避することができる。
【符号の説明】
【００４０】
１０    画像処理装置
１１    識別情報取得手段
１２    撮像手段
１３    記憶手段
１４    アクセス情報出力手段
１５    識別情報記憶手段
１６    表示手段
１７    通信手段
２０    情報処理装置
２１    識別情報記憶手段
２２    撮像手段
２３    表示手段
２４    通信手段
３０    無線ネットワーク
【先行技術文献】
【特許文献】
【００４１】
【特許文献１】特許第４４５５０７６号公報
【図１】
2016174271.tif 000003
【図２】
2016174271.tif 000004
【図３】
2016174271.tif 000005
【図４】
2016174271.tif 000006